(57)【要約】【課題】外ガイド付きの釣竿の穂先部を信頼性を持って保護できる穂先部保護具を提供する。【解決手段】釣竿本体穂先部１０に設けている外ガイドＧ１，Ｇ２，Ｇ３の装着間隔に比較して小さな間隔で、縦長の柔軟部材２０の縦方向に沿って、前記外ガイドの挿入係止可能な大きさの切り込み溝２０Ｓを多数設けており、該柔軟部材と釣竿の穂先部とを覆うことができ、柔軟部材とは別部材からなるシート状のカバー部材３０を具備し、該柔軟部材とカバー部材とを有する保護本体３４には緊締用止め具３２Ａ，３２Ｂが設けられており、カバー部材は柔軟部材と釣竿穂先部を覆いつつ前記緊締用止め具によって釣竿穂先部に装着できるよう構成する。【選択図】図１
2008245627.tif 000002
【特許請求の範囲】
【請求項１】
釣竿本体穂先部（１０）に設けている外ガイド（Ｇ１，Ｇ２，Ｇ３）の装着間隔に比較して小さな間隔で、縦長の柔軟部材（２０）の縦方向に沿って、前記外ガイドの挿入係止可能な大きさの切り込み溝（２０Ｓ）を多数設けており、該柔軟部材と釣竿の穂先部とを覆うことができ、柔軟部材とは別部材からなるシート状のカバー部材（３０）を具備し、該柔軟部材とカバー部材とを有する保護本体（３４）には緊締用止め具（３２Ａ；３２Ｂ）が設けられており、カバー部材は柔軟部材と釣竿穂先部を覆いつつ前記緊締用止め具によって釣竿穂先部に装着できることを特徴とする外ガイド付き釣竿の穂先部保護具。
【請求項２】
釣竿本体穂先部（１０）に設けている外ガイド（Ｇ１，Ｇ２，Ｇ３）の装着間隔に比較して小さな間隔で、縦長の柔軟部材（２０）の縦方向に沿って、前記外ガイドの挿入係止可能な大きさの切り込み溝（２０Ｓ）を多数設けており、該柔軟部材と同一材料で一体成形されたカバー部（３０’）を有した保護本体（３４）に緊締用止め具（３２Ａ；３２Ｂ）が装着されており、保護本体は緊締用止め具によって釣竿穂先部に装着できることを特徴とする外ガイド付き釣竿の穂先部保護具。
【請求項３】
釣竿穂先部を被覆できる縦長の保護本体（４０）に緊締用止め具の有する帯状部材（３２Ａ，３２Ａ”）が長手方向の複数箇所に設けられており、釣竿本体穂先部（１０）に設けている外ガイドが挿通可能な穴（Ｋ）又は切り込みを少なくとも１個の帯状部材（３２Ａ”）に設けていることを特徴とする外ガイド付き釣竿の穂先部保護具。
【発明の詳細な説明】
【技術分野】
【０００１】
本発明は、外ガイド付き釣竿の穂先部の保護具に関する。
【背景技術】
【０００２】
外ガイド付きの釣竿であって、短い仕舞状態にできない釣竿や、短い仕舞状態可能構造であっても、そのままの長い状態で釣り場移動等を行う際に、穂先部を保護するために使用する保護具の開示が下記特許文献１にある。穂先部を柔軟部材で挟み込み、これを固定用止め具で竿杆に締め付けることが開示されている。
【特許文献１】特開２００４−２０８６４２号公報
【発明の開示】
【発明が解決しようとする課題】
【０００３】
しかし、上記公報の保護具を実際に使用した場合、時として移動の際等に保護具がずり下がり、穂先部先端が保護具から露出することが起こる。最も保護すべき穂先部先端を露出させたのでは、穂先部保護具としての意義が減殺される。
依って解決しようとする課題は、外ガイド付きの釣竿の穂先部を信頼性を持って保護できる穂先部保護具を提供することである。
【課題を解決するための手段】
【０００４】
第１の発明では、釣竿本体穂先部に設けている外ガイドの装着間隔に比較して小さな間隔で、縦長の柔軟部材の縦方向に沿って、前記外ガイドの挿入係止可能な大きさの切り込み溝を多数設けており、該柔軟部材と釣竿の穂先部とを覆うことができ、柔軟部材とは別部材からなるシート状のカバー部材を具備し、該柔軟部材とカバー部材とを有する保護本体には緊締用止め具が設けられており、カバー部材は柔軟部材と釣竿穂先部を覆いつつ前記緊締用止め具によって釣竿穂先部に装着できることを特徴とする外ガイド付き釣竿の穂先部保護具を提供する。
柔軟部材は、シート状カバー部材に対して接着固定されていたり、シート状カバー部材に袋部を形成し、この袋部分に柔軟部材の一部を収納させて保持させてもよい。更には、両部材が別々に分離されていてもよい。
【０００５】
第２の発明では、釣竿本体穂先部に設けている外ガイドの装着間隔に比較して小さな間隔で、縦長の柔軟部材の縦方向に沿って、前記外ガイドの挿入係止可能な大きさの切り込み溝を多数設けており、該柔軟部材と同一材料で一体成形されたカバー部を有した保護本体に緊締用止め具が装着されており、保護本体は緊締用止め具によって釣竿穂先部に装着できることを特徴とする外ガイド付き釣竿の穂先部保護具を提供する。
【０００６】
第３の発明では、釣竿穂先部を被覆できる縦長の保護本体に緊締用止め具の有する帯状部材が長手方向の複数箇所に設けられており、釣竿本体穂先部に設けている外ガイドが挿通可能な穴又は切り込みを少なくとも１個の帯状部材に設けていることを特徴とする外ガイド付き釣竿の穂先部保護具を提供する。
【発明の効果】
【０００７】
第１の発明では、適宜な位置の切り込み溝に適宜な位置の外ガイドを挿入係止させれば、柔軟部材は竿の長手方向へのずれを生じない。この柔軟部材は釣竿穂先部と共にシート状カバー部材に被覆され、このシート状カバー部材が緊締用止め具によって釣竿穂先部に装着されるため、柔軟部材も切り込み溝が外ガイドから外れないようにシート状カバー部材によって釣竿穂先部に保持される。これによって釣竿穂先部は信頼性高く保護される。なお、シート状カバー部材は柔軟部材とは異なる別部材故、柔軟部材の材料に係わりなく、保護用のカバー部材として適切な材料を選択できる。
【０００８】
第２の発明では、第１の発明の作用効果と同様であるが、保護本体のカバー部が柔軟部材と同一材料で一体に成形されるため、カバー部は保護用カバー部材としての選択の自由度が無いことが異なる。
【０００９】
第３の発明では、帯状部材に設けた穴又は切り込みによって、適宜な位置の外ガイドを挿通させることができると共に、保護本体の釣竿長手方向に対する位置が定まるため、釣竿穂先部は信頼性高く保護される。
【発明を実施するための最良の形態】
【００１０】
以下、本発明を図面を参照しつつ詳細に説明する。図１は本発明に係る穂先部保護具を釣竿穂先部に装着させる一過程の側面図であり、図２はその上面図である。釣竿本体穂先部１０には適宜な間隔で外ガイドＧ１，Ｇ２，Ｇ３・・・が装着されている。スポンジ状であって、横断面形状が矩形状の発泡性樹脂体である縦長柔軟部材２０の長手側部一側には、前記の外ガイドの間隔の１／２以下（好ましくは、１／３以下）の小さな間隔で切り込み溝２０Ｓが多数形成されている。
【００１１】
この縦長柔軟部材の材料として、例えば、ウレタン、ポリエチレン等がある。縦長柔軟部材２０が最先端の外ガイドＧ１にも対面する高さ位置にしつつ、何れかの外ガイドを何れかの切り込み溝２０Ｓに挿入係止させる。即ち、切り込み溝に何れかの外ガイドを挿入係止させた場合に、縦長柔軟部材２０は最先端の外ガイドＧ１以上の先方にまで存在するように配設する。
【００１２】
この例では第３の外ガイドＧ３を適宜な切り込み溝に挿入係止させると第２の外ガイドＧ２は何れの切り込み溝にも係止できず、最先端の外ガイドＧ１は、たまたま他の適宜な切り込み溝に挿入されている。しかし、縦長柔軟部材２０は柔軟性を有していて、外ガイドＧ２部位は、その押圧によって凹む。これにより、穂先部は発泡性樹脂材の縦長柔軟部材に沿って固定できる。更には、外ガイドＧ３（，Ｇ１）と切り込み溝２０Ｓとの挿入係止によって縦長柔軟部材２０は釣竿本体穂先部１０に対する長手方向位置が定まり、ずれない。
【００１３】
この例では、この縦長柔軟部材はナイロン繊維等の織物から成るシート状のカバー部材３０に接着固定されて保護本体３４を構成しており、緊締用止め具の例としての、所謂、ベルクロテープ３２Ａ，３２Ｂが保護本体のカバー部材に設けられている。カバー部材によって縦長柔軟部材と共に釣竿穂先部を被覆し、ベルクロテープ３２Ａ，３２Ｂによって装着保持できる。
【００１４】
図３は第２発明形態例の穂先部保護具を釣竿穂先部に装着させる一過程の側面図であり、図４はその上面図である。第１発明形態例と同様な発泡性樹脂体である縦長柔軟部材２０と同一材によって、該縦長柔軟部材２０にカバー部３０’を一体形成しており、第１発明形態例では別部材であるカバー部材３０に代えていることが異なる。また、緊締用止め具の例としてのベルクロテープ３２Ａ，３２Ｂが保護本体３４のカバー部材３０’と縦長柔軟部材２０に設けられている。この形態例の作用効果は第１発明形態例の場合と同様である。
【００１５】
図５は第３発明形態例の穂先部保護具を釣竿穂先部に装着させる一過程の側面図であり、図６はその上面図である。縦長の保護本体４０は、その内部に適宜厚さの柔軟性部材を封入して適宜な厚さを有し、左右２つの矩形状部４０Ａ，４０Ｂが釣竿穂先部を挟持する構造である。その一方の矩形状部４０Ｂには、緊締用止め具としての帯状部材であるベルクロテープの一方３２Ａ，３２Ａ”が複数個（ここでは３個）設けられており、他方の矩形状部４０Ａにはベルクロテープの他方３２Ｂが設けられている。この内の１つのベルクロテープ３２Ａ”には適宜なサイズの穴Ｋを設け、これに外ガイドＧ２を挿通できる。
【００１６】
この例での穴Ｋの縦方向幅Δは、外ガイドＧ２の厚さ（釣竿の縦方向幅）δと比較して十分に大きく、数倍の大きさに設定している。通常３倍〜５倍に設定する。これは、外ガイドＧ２を上記穴Ｋに挿通させた場合に、たまたま他のベルクロテープ３２Ａの位置に丁度他の外ガイドＧ１，Ｇ３の何れかが位置し、ベルクロテープによって緊締すると、その外ガイドを折り曲げたり、緊締ができなくなることを防止するために、釣竿穂先部に対する穂先部保護具の位置を幾分か調節可能なように構成している。穂先部保護具を緊締装着した後は、釣竿穂先部に対する位置ずれは、前記穴Ｋの縦方向幅Δの範囲内であり、穂先部保護具が最もずり下がっても、最先端の外ガイドＧ１が保護本体４０から飛び出さないような長さ関係に構成している。
【００１７】
図７は、図５の形態例の変形例であり、異なるのは、穴Ｋ’の縦方向幅Δを、外ガイドＧ２の厚さδに対し、この外ガイドＧ２が挿通できればよいだけの小さめの寸法にしたことである。従って、通常δ＜Δ≦２δとする。この場合は、穂先部保護具を緊締装着した後は、釣竿穂先部に対する位置ずれは殆ど生じない。また、この穴Ｋ’に代えて切り込みでもよい。幅Δが零と言える切り込みに外ガイドが挿通するのは、シャツの穴（切り込み）とボタンとの関係と同様である。
【００１８】
図８は図７の実施形態例の変形ともいえる参考例である。既述の穴Ｋ’に代えて、隣接したベルクロテープ３２Ａ’，３２Ａ’の間隔が上記値Δになるようにこれらのベルクロテープ３２Ａ’，３２Ａ’の装着位置を設定し、この間隔隙間３２Ｓに外ガイドを挿通させる。この場合、穂先部保護具は釣竿穂先部に対して回転は可能であるが、長手方向の相対位置は上記間隔Δの範囲でしかずれることはない。
【００１９】
以上の例では、図５以降の例では、先端から２番目の外ガイドＧ２を穂先部保護具の中間位置のベルクロテープの穴や間隔に挿通させていたが、これを他の位置のベルクロテープや、他の位置の外ガイドに代えてもよいことは明らかである。
【産業上の利用可能性】
【００２０】
本発明は、外ガイド付き釣竿を対象とした穂先部保護具に利用できる。
【図面の簡単な説明】
【００２１】
【図１】図１は第１の発明の穂先部保護具装着一過程の図である。
【図２】図２は図１の上面図である。
【図３】図３は第２の発明の穂先部保護具装着一過程の図である。
【図４】図４は図３の上面図である。
【図５】図５は第３の発明の穂先部保護具装着一過程の図である。
【図６】図６は図５の上面図である。
【図７】図７は第３の発明の他の実施形態例の図である。
【図８】図８は参考例の図である。
【符号の説明】
【００２２】
１０                      釣竿本体穂先部
２０                      縦長柔軟部材
２０Ｓ                    切り込み溝
３０                      シート状カバー部材
３２Ｓ                    隣接ベルクロテープ間隙間
３４，４０                保護本体
Ｋ，Ｋ’                  穴
【図１】
2008245627.tif 000003
【図２】
2008245627.tif 000004
【図３】
2008245627.tif 000005
【図４】
2008245627.tif 000006
【図５】
2008245627.tif 000007
【図６】
2008245627.tif 000008
【図７】
2008245627.tif 000009
【図８】
2008245627.tif 000010